(57)【特許請求の範囲】
【請求項１】
犬舎本体の開口部の正面中央前端の上下部位に支柱が介在立設されると共に、該支柱の両側へ二枚の扉が片開自在に蝶持される犬舎であって、犬舎本体の開口部の正面中央前端上縁に、縦方向にガイド溝を各形成した左右一対のガイド部材を対設し、該各ガイド部材のガイド溝へ上下摺動自在にストッパーの両端を嵌挿する一方、同下縁に、受け部材を設け、該受け部材に下端を挿着した支柱上端を、上記ストッパーの上下動により係脱自在としたことを特徴とする犬舎。
【発明の詳細な説明】
【０００１】
【発明の属する技術分野】
本発明は、犬舎に関する。
【０００２】
【従来の技術】
従来、動物病院等では、犬や猫などのペット類を収納するステンレス製の犬舎が知られている。この犬舎は、正面を開口させた箱型の犬舎本体を備え、その正面部に蝶番を介して片開自在に扉が蝶持された構成である。
【０００３】
ところで、犬舎には、大小種々なサイズのものがあり、そのうち大きなサイズの犬舎では、犬舎本体の中央正面前端に支柱が立設固定され、該支柱を堺にその両側へ二枚の扉が各々蝶持されている。
【０００４】
【発明が解決しようとする課題】
しかしながら、上記した二枚扉の犬舎は、猫などの小動物の出し入れには問題ないが、大型犬などの出し入れに際しては、特に中央正面前端に設けられた支柱が邪魔となることがある。
【０００５】
本発明は、上記した従来技術が有するこのような問題点に鑑みてなされたもので、犬舎本体の中央正面前端に設けた支柱を脱着自在に構成することにより、大小種々なペット類に好適に使用できる犬舎を提供することを目的とする。
【０００６】
上記目的を達成するために、本発明に係る犬舎は、犬舎本体の開口部の正面中央前端の上下部位に支柱が介在立設されると共に、該支柱の両側へ二枚の扉が片開自在に蝶持される犬舎であって、犬舎本体の開口部の正面中央前端上縁に、縦方向にガイド溝を各形成した左右一対のガイド部材を対設し、該各ガイド部材のガイド溝へ上下摺動自在にストッパーの両端を嵌挿する一方、同下縁に、受け部材を設け、該受け部材に下端を挿着した支柱上端を、上記ストッパーの上下動により係脱自在としたことを特徴とする。
【課題を解決するための手段】
【０００７】
【作用】
犬舎本体の開口部の正面中央前端の上下部位に支柱を介在立設させ、支柱下端を、犬舎本体の開口部の正面中央前端下縁に固着した受け部材に挿着すると共に、支柱上端を、同上縁に固着した左右一対のガイド部材間にセットし、該ガイド部材のガイド溝内へ両端を嵌挿したストッパーを降下させることで上記支柱上端を係止させる。この状態で、犬舎本体の開口部の支柱両側に二枚の透視扉を片開自在に各々蝶持させる。
【０００８】
大型のペット用として犬舎を使用する場合、両透視扉を犬舎本体の開口部から両側へ拡き、ストッパーをガイド溝に沿って上昇させると、支柱上端のストッパーによる係止状態が解除されるため、当該支柱上端を僅かに手前に引いて持ち上げれば、支柱下端が受け部材から引き抜かれる。
【０００９】
このようにして支柱を犬舎本体の開口部中央から排除した後、再び犬舎本体の同上位置に取付ける場合は、支柱上端をガイド部材間にセットしストッパーに係止させると共に、支柱下端を受け部材に挿着させる。
【００１０】
【発明の実施の形態】
以下、本発明に係る犬舎の一実施形態について図面を参照に説明する。
図１(Ａ)、(Ｂ)は、本発明に係る犬舎における扉の中央支柱脱着機構のストッパー無作動時と作動時の各正面図を示し、図２(Ａ)、(Ｂ)は、図１のＡ−ＡおよびＢ−Ｂの各断面図を示し、図３は、同上機構と犬舎全体の斜視図を示し、図４は、同上の扉付き斜視図を示す。
【００１１】
図１ないし図４において、Ａは犬舎、Ｂは扉の中央支柱脱着機構を示す。
【００１２】
上記犬舎Ａは、図３および図４に示したように構成される。
当該犬舎Ａは、ステンレスを素材として、正面横長矩形状の箱型の犬舎本体１を備え、該犬舎本体１の正面に開口部２を形成すると共に、該開口部２にフランジ３を突出して形成させてある。４、４´は、犬舎本体１の開口部２を開閉するステンレス製の透視扉であって、フランジ３の両側に蝶番（図示しない）を介して片開自在に蝶持されている。また、後述する中央支柱には、各扉４、４´のロック機構（図示しない）が設けられている。
【００１３】
上記扉４、４´の中央支柱脱着機構Ｂは、図１ないし図４に示したように構成される。
中央支柱５は、犬舎本体１の開口部２にあって、その上下フランジ３の内側寸法と同長のステンレス製の断面四角筒状の２本の支柱５ａ、５ｂを若干の隙間ａを置いて並設し、その上下両端前面中央部に四角板状の突片６、６´の下側を各固着することで支柱５ａ、５ｂを同状態に固定配置して形成される。
【００１４】
上記中央支柱５の上端を脱着自在に支持するガイド部材７は、縦方向に長孔状のガイド溝８、８´を形成した長方形のガイド板９、９´を、犬舎本体１の開口部２にあってそのフランジ３の正面中央前端上縁の左右両側のやや上方に、所定の間隔、即ち上記中央支柱５の突片６が挟入できる間隔を置いて、両ガイド溝８、８´が互いに対向合致するように立設固着して形成される。
【００１５】
上記ガイド板９、９´のガイド溝８、８´には、ストッパー１０として、ストッパー板１０ａの両端が上下摺動自在に嵌挿させてあり、上記中央支柱５上端の突片６をガイド部材７のガイド板９、９´間にセットさせた状態で図１および図２の（Ａ）、（Ｂ）に示したようにストッパー板１０ａを上昇位置に保持させた場合に、当該突片６はストッパー板１０ａから解放され、図１および図２の（Ｂ）、（Ｂ）に示したようにストッパー板１０ａを下降位置に保持させた場合に、当該突片６´はストッパー板１０ａに係止されるようになっている。
１１はストッパー板１０ａの正面上端に突設された摘みを示す。
【００１６】
一方、上記中央支柱５の下端を脱着自在に支持する受け部材１２は、真上に開口し、かつ上記中央支柱５下端の突片６´が遊嵌状態で挿着可能な大きさの挿入孔１３´を有するステンレス製の受け金具１３の裏面を、犬舎本体１の開口部２にあってそのフランジ３の正面中央下縁の既述ガイド部材７と対向する位置に固着して形成される。
【００１７】
なお、上記中央支柱５の２本の支柱５ａ、５ｂには、既述透視扉４、４´の閉鎖時の公知ロック機構（図示しない）が設けられている。これら透視扉４、４´は、図４に示したようにステンレス棒を格子状に偏組することで形成される。
【００１８】
【発明の効果】
本発明は、以上詳述したように構成されたものであるから、犬舎本体の正面中央前端に支柱をセットし、該支柱の両側に二枚の扉を取付けることで、小型のペットに利用できるのは勿論のこと、ストッパーの上動操作だけのワンタッチ操作で当該支柱を簡単、迅速に取り外すことができるので、同じ犬舎を必要に応じて大型のペットにも好適に使用できる利点を有するものである。
【図面の簡単な説明】
【図１】（Ａ）、（Ｂ）  本発明に係る犬舎における扉の中央支柱脱着機構のストッパー無作動時と作動時の各正面図を示す。
【図２】（Ａ）、（Ｂ）  図１のＡ−ＡおよびＢ−Ｂの各断面図を示す。
【図３】  同上機構と犬舎全体の斜視図を示す。
【図４】  同上の扉付き斜視図を示す。
【符号の説明】
Ａ          犬舎
Ｂ          扉の中央支柱脱着機構
１          犬舎本体
２          開口部
３          フランジ
４、４´    扉
５          中央支柱
７          ガイド部材
８、８´    ガイド溝
１０        ストッパー
１２        受け部材
【図１】
0003819209.tif 000002
【図２】
0003819209.tif 000003
【図３】
0003819209.tif 000004
【図４】
0003819209.tif 000005